(57)【要約】【課題】眼鏡やサングラス等の使用者の好みや、その時の気分、眼鏡等を掛けて行く所の雰囲気に応じて、異なる色や模様のテンプルに簡単に変更できる眼鏡フレームのテンプルを提供することにある。【解決手段】開口部１０を有するテンプル本体２ａと、装飾部材４ａとからなるテンプルであって、上記のテンプル本体２ａの開口部１０の箇所に、係止手段１７ａを介して上記装飾部材４ａを着脱できるようにした構成にしてある。【選択図】  図４
0003112017.tif 000002
【実用新案登録請求の範囲】
【請求項１】
テンプル本体と装飾部材とからなるテンプルであって、上記のテンプル本体の所定箇所に係止手段を介して上記装飾部材を着脱できるようにしたことを特徴とする眼鏡フレームのテンプル。
【請求項２】
係止手段は、テンプル本体の所定箇所に、テンプル本体に対して開閉自在にかつ先端部を係止できるテンプル枝部を備えた構成からなり、上記テンプル枝部と対峙するテンプル本体の箇所には開口部を有し、装飾部材は表面と裏面の色が異なり、この表面または裏面を任意に選択して外側にして、上記装飾部材をテンプル本体とテンプル枝部の間に挟んで上記開口部から装飾部材の表面または裏面の色が外から見えるようにして取り付けられるようにしたことを特徴とする請求項１記載の眼鏡フレームのテンプル。
【請求項３】
係止手段は、テンプル本体の所定箇所に形成した係止凹部と、この係止凹部に着脱自在に取り付けできる装飾部材の装飾本体の内部に設けたコイルスプリングと、このコイルスプリングによって装飾部本体の両端部に形成した孔から出没する凸片とからなり、上記装飾部材の表面と裏面は、異なる色、異なる模様、または異なる色と模様であり、この表面または裏面を任意に選択して外側にして、装飾部材をテンプル本体の係止凹部に係止させて取り付けられるようにしたことを特徴とする請求項１記載の眼鏡フレームのテンプル。
【請求項４】
係止手段は、テンプル本体の所定箇所に形成した係止凹部と、この係止凹部に着脱自在に取り付けできる装飾部材の装飾本体の内部に設けたコイルスプリングと、このコイルスプリングによって装飾本体の両端部に形成した孔から出没する凸片とからなり、上記装飾部材は筒状で外周面に模様または色と模様を施してあり、装飾部材の外周面の所望箇所が外から見えるようにして、上記装飾部材をテンプル本体の係止凹部に係止して取り付けられるようにしたことを特徴とする請求項１記載の眼鏡フレームのテンプル。
【請求項５】
係止手段は、テンプル本体の前端から内側に形成した係止溝と、この係止溝にテンプル本体の前端から挿着できるように装飾部材の裏面側に形成した係合部とからなり、上記装飾部材は表面に模様または色と模様を施してあり、上記装飾部材の係合部をテンプル本体の前端から係止溝に挿入して、上記装飾部材をテンプル本体に取り付けられるようにしたことを特徴とする請求項１記載の眼鏡フレームのテンプル。
【請求項６】
係止手段は、テンプル本体の所定箇所に形成した係止凹部に係合する装飾部材を、上記係止凹部に着脱可能に取り付けできる磁石であることを特徴とする請求項１記載の眼鏡フレームのテンプル。
【考案の詳細な説明】
【技術分野】
【０００１】
本考案は眼鏡フレームのテンプルに関するものである。
【背景技術】
【０００２】
近視用や遠視用の眼鏡やサングラス等の眼鏡フレームは、使用者の好みの多様化から種々の形状や各種デザインの装飾を施したものが製造され販売されている。そして近視用等の眼鏡の購入者は、眼鏡店で好みの眼鏡フレームを選択し、その眼鏡フレームに自分の目に合った度数のレンズを装着してもらって眼鏡を購入している。また、サングラスを購入するひとも、自分の好みのデザイン等からなるサングラスを選択して購入している。
【０００３】
しかしながら、従来の眼鏡フレームの場合、色や模様はテンプル等の眼鏡フレーム自体に一体に施されたものであるので、眼鏡やサングラス等の使用者が、その眼鏡等のフレームの色や模様等を、その時の気分や、冠婚葬祭等の出かける所の雰囲気に合わせて変えたい思っても変えることはできなかった。
【考案の開示】
【考案が解決しようとする課題】
【０００４】
本考案は上記のような点に鑑みて開発されたものであり、その目的とするところは、眼鏡やサングラス等の使用者の好みや、その時の気分、眼鏡等を掛けて行く所の雰囲気に応じて、異なる色や模様のテンプルに簡単に変更できる眼鏡フレームのテンプルを提供することにある。
【課題を解決するための手段】
【０００５】
上記の目的を有効に達成するために、本考案は次のような構成にしてある。すなわち、請求項１に記載の本考案の眼鏡フレームのテンプルは、テンプル本体と装飾部材とからなるテンプルであって、上記のテンプル本体の所定箇所に係止手段を介して上記装飾部材を着脱できるようにした構成にしてある。
【０００６】
また、請求項２に記載の本考案の眼鏡フレームのテンプルは、請求項１記載の眼鏡フレームのテンプルの構成において、係止手段は、テンプル本体の所定箇所に、テンプル本体に対して開閉自在にかつ先端部を係止できるテンプル枝部を備えた構成からなり、上記テンプル枝部と対峙するテンプル本体の箇所には開口部を有し、装飾部材は表面と裏面の色が異なり、この表面または裏面を任意に選択して外側にして、上記装飾部材をテンプル本体とテンプル枝部の間に挟んで上記開口部から装飾部材の表面または裏面の色が外から見えるようにして取り付けられるようにした構成にしてある。
【０００７】
また、請求項３に記載の本考案の眼鏡フレームのテンプルは、請求項１記載の眼鏡フレームのテンプルの構成において、係止手段は、テンプル本体の所定箇所に形成した係止凹部と、この係止凹部に着脱自在に取り付けできる装飾部材の装飾本体の内部に設けたコイルスプリングと、このコイルスプリングによって装飾部本体の両端部に形成した孔から出没する凸片とからなり、上記装飾部材の表面と裏面は、異なる色、異なる模様、または異なる色と模様であり、この表面または裏面を任意に選択して外側にして、装飾部材をテンプル本体の係止凹部に係止させて取り付けられるようにした構成にしてある。
【０００８】
また、請求項４に記載の本考案の眼鏡フレームのテンプルは、請求項１記載の眼鏡フレームのテンプルの構成において、係止手段は、テンプル本体の所定箇所に形成した係止凹部と、この係止凹部に着脱自在に取り付けできる装飾部材の装飾本体の内部に設けたコイルスプリングと、このコイルスプリングによって装飾本体の両端部に形成した孔から出没する凸片とからなり、上記装飾部材は筒状で外周面に模様または色と模様を施してあり、装飾部材の外周面の所望箇所が外から見えるようにして、上記装飾部材をテンプル本体の係止凹部に係止して取り付けられるようにした構成にしてある。
【０００９】
また、請求項５に記載の本考案の眼鏡フレームのテンプルは、請求項１記載の眼鏡フレームのテンプルの構成において、係止手段は、テンプル本体の前端から内側に形成した係止溝と、この係止溝にテンプル本体の前端から挿着できるように装飾部材の裏面側に形成した係合部とからなり、上記装飾部材は表面に模様または色と模様を施してあり、上記装飾部材の係合部をテンプル本体の前端から係止溝に挿入して、上記装飾部材をテンプル本体に取り付けられるようにしたことを特徴とする構成にしてある。
【００１０】
また、請求項６に記載の本考案の眼鏡フレームのテンプルは、請求項１記載の眼鏡フレームのテンプルの構成において、係止手段は、テンプル本体の所定箇所に形成した係止凹部に係合する装飾部材を、上記係止凹部に着脱可能に取り付けできる磁石であることを特徴とする構成にしてある。
【考案の効果】
【００１１】
本考案の眼鏡フレームのテンプルでは、テンプル本体の所定箇所に係止手段を介して装飾部材を着脱できるようにしてあるので、色の異なる複数の装飾部材、或いは色と模様を組合わせた複数の装飾部材を揃えておき、装飾部材を他の装飾部材に交換でき、使用者の好みやその時の気分、冠婚葬祭等の出かけ先の雰囲気に応じた眼鏡（サングラスを含む）に簡単に変更することができる。
【００１２】
また、異なる色を表裏に施した装飾部材を、所望の色が外側から見えるようにしてテンプル本体とテンプル枝部との間に挟むことにより、簡単に一部を所望の色にしたテンプルに変更して、気分良く眼鏡を使用することができる。
【００１３】
また、係止手段が、内蔵したコイルスプリングによって凸片が両端から出没する構成のものの場合は、色の異なる複数の装飾部材、或いは色と模様を組合わせた複数の装飾部材を揃えておき、その時の気分等に応じて所望の装飾部材を選択し、その装飾部材の両端の凸片を少し装飾部材内に後退させて、上記装飾部材をテンプル本体の係止凹部にはめ込み、上記凸片を再び両端から突出させてテンプル本体に係止させて取り付けることにより、簡単に所望の色や模様のテンプルに変更して、気分良く眼鏡を使用することができる。
【００１４】
また、係止手段が、内蔵したコイルスプリングによって凸片が両端から出没する構成のもので、装飾部材が筒状で外周面に模様または色と模様を施したものでは、上記と同様にしてテンプル本体の係止凹部に装飾部材をはめ込み、筒状の装飾部材を回して所望の装飾部材の部分を外から見えるようにすれば、その時々の気分に合った装飾模様等のテンプルの眼鏡にして、気分良く眼鏡を使用することができる。
【００１５】
また、係止手段が、テンプル本体に形成した係止溝と、装飾部材の係合部とからなる構成のものの場合は、色の異なる複数の装飾部材、或いは色と模様を組合わせた複数の装飾部材を揃えておき、その時の気分等に応じて所望の装飾部材を選択し、その装飾部材の係合部を
テンプル本体の前端から係止溝にはめ込むことにより、簡単に所望の色や模様のテンプルに変更して、気分良く外出したりすることができる。
【００１６】
また、係止手段が磁石である場合は、色の異なる複数の装飾部材、或いは色と模様を組合わせた複数の装飾部材を揃えておき、その時の気分等に応じて所望の装飾部材を選択し、その装飾部材をテンプル本体の係止凹部に近接させることにより、磁力により簡単に素早くテンプル本体に取り付けできる。
【考案を実施するための最良の形態】
【００１７】
以下、本考案を実施するための最良の形態を図に基いて説明する。
図１〜図４は本考案にかかる第１例の眼鏡フレームのテンプルに関する図であって、このテンプル１ａは、テンプル本体２ａと、テンプル枝部３と、装飾部材４ａとからなる。
【００１８】
テンプル本体２ａ(図４参照)は、眼鏡フレーム５のレンズ６を取り付ける各リム７の外縁に蝶番８を介してヒンジ接続される金属製のものであって、前部側９に細長い略三角形状の開口部１０を形成し、略直角に曲げた先端部１１の外面側に係止用の凸部１２を形成したものである。
【００１９】
テンプル枝部３(図２、図４参照)は、テンプル本体２ａの開口部１０の端１０ａ近傍から分岐形成されていて、テンプル本体２の前部側９と同じような形状であり、先端部１３を略直角にテンプル本体２ａの先端部１１側に曲げ、上記のテンプル本体２ａの各凸部１２が嵌合係止できる孔（図示せず）を先端部１３の内側に形成され、さらに先端部１３の端に蝶番８用の孔１６を形成したものである。このテンプル枝部３は、分岐箇所からテンプル本体２ａ側に近接させたり、テンプル本体２側から離したりできる弾性を有している。
【００２０】
この例のテンプル１ａにおける係止手段１７ａは、上記したテンプル本体２ａから分岐形成して、テンプル本体２ａに対して開閉自在に、かつ先端部１３をテンプル本体２ａの先端部１１に係止できる上記したテンプル枝部３からなる。
【００２１】
この例の装飾部材４ａは、プラスチック樹脂製や金属製等で、テンプル本体２ａの開口部１０よりも少し大きな細長い略三角形状の板状のものであって、表面側１４(図３参照)と裏面側１５とでは異なる色を施してある。色は限定されるものではなく、種々の色を上記の表面側１４と裏面側１５に施せばよい。勿論、表面側１４と裏面側１５とでは、異なる模様、または異なる色と模様との組み合わせであってもよい。
【００２２】
上記のような構成からなるテンプル１ａを備えた眼鏡フレーム５を使用した眼鏡１６ａにあっては、使用者の好みに応じて、装飾部材４ａの表面側１４または裏面側１５の色が外から見えるようにして、テンプル本体２ａの開口部１０の箇所に、テンプル本体２ａの内側から当て、テンプル枝部３を閉じてテンプル本体２ａの各凸部１２に孔（図示省略）を嵌合係止し、上記装飾部材４ａをテンプル本体２ａとテンプル枝部３とで挟み付けて取り付けることができる。
【００２３】
このようにすることによって装飾部材４ａの表面側１４または裏面側１５の色が開口部１０から露出し、おしゃれで斬新なデザインの眼鏡を掛けて散歩や買い物等に出かけることができ、気持ちをリフレッシュさせる一助となる効果を有している。また、このテンプル１ａを備えた眼鏡１６ａを販売する際に、色や模様の異なる複数の装飾部材４ａを付属品として付けておけば、顧客はその時々の気分等に応じて所望の装飾部材４ａの色や模様等が外から見えるようにテンプル本体２ａとテンプル枝部３との間に取り付けて使用すれことにより、一段とファッション性のある眼鏡として使用することができる。
【００２４】
図５は、上記の例のテンプル１ａと一部構成が異なる第２例のテンプル１ｂである。このテンプル１ｂは、テンプル本体２ａに固着した連結部１９にピン２０を介してテンプル枝部３を揺動自在に連結した構成である。他の構成については上記したテンプル１ａの構成と同様であり、同一箇所に同一符合を付して説明を省略する。
【００２５】
このテンプル１ｂも上記テンプル１ａと同様に、装飾部材４ａ(図２〜図４参照)を開口部１０から装飾部材４ａ(図３参照)の表面側１４または裏面側１５の色が見えるようにして、テンプル本体２ａとテンプル枝部３とで挟み付けて取り付けることにより、上記と同様の作用・効果を得ることができる。
【００２６】
次に図６〜図８は、第３例のテンプル１ｃに関する図である。このテンプル１ｃは、テンプル本体２ｂの前部側９に係合凹部２１を形成してあり、この係合凹部２１に装飾部材４ｂを着脱自在に取り付けできるようにしたものである。上記の係合凹部２１の両端部には、後述する装飾部材４ｂの凸片２３を係止する孔２４が形成してある。
【００２７】
上記の装飾部材４ｂは、係合凹部２１の長さより僅かに短い直方体形状で両端部に貫通孔２７を形成した装飾本体２５と、装飾本体２５の内部空間に設けたコイルスプリング２６と、このコイルスプリング２６によって装飾本体２５の両端部の貫通孔２７から先端部２３ａを常時外に突出する凸片２３とからなる。また、この装飾本体２５の表面側１４と裏面側１５には、上記した例の装飾部材４ａと同様に異なる色が施してある。色は限定されるものではなく、種々の色を上記の表面側１４と裏面側１５に施せばよい。勿論、表面側１４と裏面側１５とでは異なる模様、または異なる色と模様であってもよい。
【００２８】
また、この例のテンプル１ｃにおける係止手段１７ｂは、テンプル本体２ｂの係止凹部２１と、この係止凹部２１に着脱自在に取り付けできる装飾部材４ｂの内部に設けたコイルスプリング２６と、このコイルスプリング２６によって装飾部材４ｂの両端部に形成した貫通孔２７から出没する凸片２３とからなる。
【００２９】
上記のような構成のテンプル１ｃを備えた眼鏡フレーム５からなる眼鏡１６にあっては、使用者の好みに応じて、装飾部材４ｂの表面側１４または裏面側１５の色が外から見えるようにして、テンプル本体２ａの係合凹部２１に装飾部材４ｂをはめ込む。この場合、装飾本体２５の端から突出している一方の凸片２３の先端部２３ａを、装飾本体２５の片側の貫通孔２７に挿入し、他方の凸片２３をコイルスプリング２６の弾発付勢に抗して装飾本体２５内に少し押し込んで、この装飾部材４ｂを上記係合凹部２１にはめ込み、上記の他方の凸片２３の装飾本体２５内への押し込みを解除することによって、この凸片２３の先端部２３ａが装飾本体２５のもう片側の貫通孔２７にコイルスプリング２６の弾発付勢によって挿入され、この例の装飾部材４ｂをテンプル本体２ａに取り付けることができる。
【００３０】
また、この眼鏡の使用者の気分等によって、装飾部材４ｂの色を変えたい場合は、コイルスプリング２６の弾発付勢に抗して装飾本体２５内に一方の凸片２３を少し押し込んで先端部２３ａを装飾本体２５の片側の貫通孔２７から抜き、テンプル本体２ａの係合凹部２１から一旦装飾部材４ｂを外し、装飾本体２５を裏返して再び上記したようにしての装飾部材４ｂをテンプル本体２ａに取り付ければよい。
【００３１】
この例のテンプル１ｃも、装飾部材４ｂの表側または裏側の色が外から見えるようにテンプル本体２ａに取り付けることにより、好みや、その時の気分等に応じてテンプル１ｃの一部の色を変えて使用することができる。
【００３２】
図９、図１０は第４例のテンプル１ｄに関する図であって、この例のテンプル１ｄは上記した第３例のテンプル１ｃと略同じ構成のものであるが、装飾部材４ｃの装飾本体２５の表面側１４に斜め格子状の凹凸模様を施し、裏面側１５は平坦で色を施してある。その他の構成、作用・効果は上記したテンプル１ｃと同様である。
【００３３】
図１１は第５例のテンプル１ｅに関する図であって、この例では装飾部材４ｄの装飾本体２５の形状が円筒形状である。この装飾部材４ｄの場合は装飾本体２５が回転するので、外周面２８に１色または複数の色を施すとともに蒔絵のような模様を施し、好みにより装飾本体２５を回して所望の模様等の表れる部分を外から見える位置にして眼鏡を使用すれば、その時々の気分でテンプル１ｅの少なくとも一部の色や模様等を変えて楽しむことができる。勿論、装飾本体２５は、外周面２８に色だけ或いは模様だけを施したものであってもよい。その他の構成、作用は上記したテンプル１ｃと同様である。
【００３４】
また、図１２は、第６例のテンプル１ｆに関する図である。このテンプル１ｆは、テンプル本体２ｄの前部９側に、一端形状が三角凸状で他端形状が三角凹状の横長の係合凹部２１ａが形成してあり、この係合凹部２１ａと同形の装飾部材４ｅを上記係合凹部２１ａに着脱自在に取り付けできるようにしたものである。上記の係合凹部２１ａの両端部には、装飾部材４ｄの凸片２３を係止する孔２４が形成してある。その他の構成、作用・効果は上記したテンプル１ｃと同様であり説明を省略する。
【００３５】
次に図１３〜図１６は、第７例のテンプル１ｇに関する図である。このテンプル１ｇは、テンプル本体２ｅの前端９ａから内側に横長な係止溝２９が形成してあり、この係止溝２９に前端９ａから装飾部材４ｆの裏面側に形成した係合部３０をはめ込んで、この装飾部材４ｆをテンプル本体２ｅに取り付けできるようにしたものである。テンプル本体２ｅの表面側１４には、模様，または色と模様等を施してある。
【００３６】
この例のテンプル１ｇにおける係止手段１７ｃは、テンプル本体２ｅの係止溝２９と、この係止溝２９に着脱自在に取り付けできる装飾部材４ｆの係合部３０とからなる。
【００３７】
上記のような構成のテンプル１ｇを備えた眼鏡フレーム５からなる眼鏡１６にあっては、眼鏡フレーム５の付属品として表面の模様や色の異なる複数の装飾部材４ｆを販売時に提供し、使用者の好みに応じて、模様や色の異なる複数の装飾部材４ｆから所望の装飾部材４ｅを選択して、テンプル本体２ｅの係止溝２９に装飾部材４ｆの係合部３０をはめ込んで取り付ければよく、好みや、その時の気分や、眼鏡を掛けて行く所の雰囲気等に応じた眼鏡に変更して眼鏡を使用することができる。
【００３８】
図１７、図１８は第８例のテンプル１ｈに関する図であって、このテンプル１ｈは、図示のテンプル本体２ｆの前部９側に上端から内側に係止凹部２１ｂが形成されていて、この係止凹部２１ｂと略同形で、係止手段１７ｄである磁石３１を介して係止凹部２１ｂに着脱できる装飾部材４ｇを備えている。磁石３１は、係止凹部２１ｂと接する装飾部材４ｇの外面またはテンプル本体２ｄの係止凹部２１ｂの内面、或いは装飾部材４ｇと上記係止凹部２１ｂの両方の接する箇所に固着した磁性を帯びた金属材や、装飾部材４ｇが磁石材で形成され、テンプル本体２ｄの少なくとも係止凹部２１ｂを磁着する金属にしたもの等からなる構成のものである。また、装飾部材４ｇには色、模様、或いは色と模様を施してある。このテンプル１ｈを備えた眼鏡も、色や模様の異なる装飾部材４ｇを取り替えることにより好みや、その時の気分や、眼鏡を掛けて行く所の雰囲気等に合わせた色合い等の眼鏡を掛けて出かけることができる。
【図面の簡単な説明】
【００３９】
【図１】本考案の第１例のテンプルを備えた眼鏡の正面図である。
【図２】本考案の第１例のテンプルの正面図ある。
【図３】本考案の第１例のテンプルにかかる装飾部材であって、（Ａ）は装飾部材の表面側を示す正面図、（Ｂ）装飾部材の裏面側を示す正面図である。
【図４】本考案の第１例のテンプルの平面図である。
【図５】本考案の第２例のテンプルの平面図である。
【図６】本考案の第３例のテンプルを備えた眼鏡の正面図である。
【図７】本考案の第３例のテンプルの要部を示す説明図である。
【図８】本考案の第３例のテンプルにかかる装飾部材の拡大断面図である。
【図９】本考案の第４例のテンプルを備えた眼鏡の側面図である。
【図１０】本考案の第４例のテンプルにかかる装飾部材であって、（Ａ）は装飾部材の表面側を示す正面図、（Ｂ）は装飾部材の裏面側を示す正面図、（Ｃ）は（Ａ）の側面図、（Ｄ）は（Ｂ）の側面図である。
【図１１】本考案の第５例のテンプルに関する図であって、（Ａ）は装飾部材の正面図、（Ｂ）は（Ａ）の側面図、（Ｃ）は第５例のテンプルの要部断面図である。
【図１２】本考案の第６例のテンプルの正面図である。
【図１３】本考案の第７例のテンプルを備えた眼鏡の正面図である。
【図１４】本考案の第７例のテンプルの説明図である。
【図１５】本考案の第７例のテンプルの一部拡大した説明図である。
【図１６】本考案の第７例のテンプルに関する図であって、（Ａ）は第７例のテンプルを備えた眼鏡の側面図、（Ｂ）は第７例のテンプルにかかるテンプル本体の要部を示す正面図、（Ｃ）は装飾部材の平面図である。
【図１７】本考案の第８例のテンプルを備えた眼鏡の正面図である。
【図１８】本考案の第８例のテンプルに関する図であって、（Ａ）は第８例のテンプルを備えた眼鏡の側面図、（Ｂ）は第８例のテンプルにかかるテンプル本体と装飾部材を示す説明図である。
【符号の説明】
【００４０】
１ａ〜１ｈ      テンプル
２ａ〜２ｆ      テンプル本体
３              テンプル枝部
４ａ〜４ｇ      装飾部材
５              眼鏡フレーム
１０            開口部
１４            表面
１５            裏面
１７ａ〜１７ｄ  係止手段
【図１】
0003112017.tif 000003
【図２】
0003112017.tif 000004
【図３】
0003112017.tif 000005
【図４】
0003112017.tif 000006
【図５】
0003112017.tif 000007
【図６】
0003112017.tif 000008
【図７】
0003112017.tif 000009
【図８】
0003112017.tif 000010
【図９】
0003112017.tif 000011
【図１０】
0003112017.tif 000012
【図１１】
0003112017.tif 000013
【図１２】
0003112017.tif 000014
【図１３】
0003112017.tif 000015
【図１４】
0003112017.tif 000016
【図１５】
0003112017.tif 000017
【図１６】
0003112017.tif 000018
【図１７】
0003112017.tif 000019
【図１８】
0003112017.tif 000020